(57)【要約】【課題】組立効率の向上を図る。【解決手段】情報処理装置は、スピーカを備える。スピーカは、左チャネル用スピーカ、右チャネル用スピーカおよび低音域用スピーカを含む。左チャネル用スピーカは、左チャネル音声を出力する。右チャネル用スピーカは、右チャネル用音声を出力する。低音域用スピーカは、低域音声を出力する。スピーカは、左チャネル用スピーカ、右チャネル用スピーカおよび低音域用スピーカが、それぞれ個別に分離したスピーカユニットではなく、３つのスピーカユニットが一体化構成されている。一体型のスピーカは、情報処理装置の筐体内部に搭載される。【選択図】図１
2013141119.tif 000002
【特許請求の範囲】
【請求項１】
左チャネル音声を出力する左チャネル用スピーカと、右チャネル音声を出力する右チャネル用スピーカと、低音域を出力する低音域用スピーカと、の各スピーカユニットが一体化構成されたスピーカを筐体内に有する情報処理装置。
【請求項２】
前記左チャネル用スピーカは、第１のバスレフポートを有し、前記右チャネル用スピーカは、第２のバスレフポートを有し、前記低音域用スピーカは、第３のバスレフポートを有し、
前記第１〜第３のバスレフポートは、所定の長さに応じて、隣接するスピーカユニットまで拡張して形成される請求項１記載の情報処理装置。
【請求項３】
前記スピーカは、前記筐体の内部を冷却するための吸気構造が設けられる請求項１記載の情報処理装置。
【請求項４】
前記筐体の底面部には、突起部が設けられ、
前記スピーカには、前記突起部と接触する緩衝材が設けられ、
前記スピーカの前記筐体への実装時には、前記突起部が前記緩衝材を押し当て、前記突起部と前記緩衝材によって、前記左チャネル用スピーカ、前記右チャネル用スピーカおよび前記低音域用スピーカのそれぞれが封止されて、スピーカユニット毎に区画化される請求項１記載の情報処理装置。
【請求項５】
前記左チャネル用スピーカは、左チャネル用スピーカケーブルを有し、前記右チャネル用スピーカは、右チャネル用スピーカケーブルを有し、前記低音域用スピーカは、低音域用スピーカケーブルを有し、
前記左チャネル用スピーカケーブル、前記右チャネル用スピーカケーブルおよび前記低音域用スピーカケーブルは束ねられて、出し口が１本で形成される請求項１記載の情報処理装置。
【請求項６】
左チャネル音声を出力する左チャネル用スピーカと、
右チャネル音声を出力する右チャネル用スピーカと、
低音域を出力する低音域用スピーカと、
を有し、
各スピーカユニットが一体化構成されたスピーカ。
【請求項７】
前記左チャネル用スピーカは、第１のバスレフポートを有し、前記右チャネル用スピーカは、第２のバスレフポートを有し、前記低音域用スピーカは、第３のバスレフポートを有し、
前記第１〜第３のバスレフポートは、所定の長さに応じて、隣接するスピーカユニットまで拡張して形成される請求項６記載のスピーカ。
【請求項８】
実装される筐体の内部を冷却するための吸気構造が設けられる請求項６記載のスピーカ。
【請求項９】
実装される筐体の底面部に設けられた突起部と接触する緩衝材が設けられ、
実装時には、前記突起部が前記緩衝材を押し当て、前記突起部および前記緩衝材によって、前記左チャネル用スピーカ、前記右チャネル用スピーカおよび前記低音域用スピーカのそれぞれが封止されて、スピーカユニット毎に区画化される請求項６記載のスピーカ。
【請求項１０】
前記左チャネル用スピーカは、左チャネル用スピーカケーブルを有し、前記右チャネル用スピーカは、右チャネル用スピーカケーブルを有し、前記低音域用スピーカは、低音域用スピーカケーブルを有し、
前記左チャネル用スピーカケーブル、前記右チャネル用スピーカケーブルおよび前記低音域用スピーカケーブルは束ねられて、出し口が１本で形成される請求項６記載のスピーカ。
【発明の詳細な説明】
【技術分野】
【０００１】
本技術は、情報処理を行う情報処理装置および放音を行うスピーカに関する。
【背景技術】
【０００２】
近年、利用頻度の高いアプリケーションソフトや周辺機器などをあらかじめ備えている一体型（オールインワン（all in one））のパーソナルコンピュータが普及している。
【０００３】
この種のパーソナルコンピュータは、正面キャビネットと背面キャビネットとを重ね合わせて構成された筐体内部に、画像表示パネルと共に、スピーカを含む周辺機器を組み込んで構成されている。
【０００４】
スピーカには、通常、左チャネル側の音声を出力する左チャネル用スピーカと、右チャネル側の音声を出力する右チャネル用スピーカとを有している。さらに、低音域の音声を出力するウーハ（Woofer）と呼ばれるスピーカを有している。
【０００５】
従来技術として、スピーカをテレビジョン受像機と一体的に設けて、サラウンド再生を行う技術が提案されている。
【先行技術文献】
【特許文献】
【０００６】
【特許文献１】特開２００４−２４７８９０号公報
【発明の概要】
【発明が解決しようとする課題】
【０００７】
スピーカは、上記のように、左チャネル用、右チャネル用およびウーハの３つのスピーカユニットを備えており、従来では、これらスピーカユニットは、それぞれ分離した個別のスピーカユニットとして構成されていた。
【０００８】
このため、筐体に対して、スピーカユニットを取り付けたり、交換したりなどの組立を行う場合には、左チャネル用スピーカ、右チャネル用スピーカおよびウーハのそれぞれを、スピーカユニット毎に行わなければならず、容易に組み立てることができなかった。
【０００９】
このように、従来のスピーカは、左チャネル用、右チャネル用およびウーハの３つのスピーカユニットが、それぞれ分離した個別ユニットとして構成されていたため、組立効率が悪いといった問題があった。
【００１０】
本技術はこのような点に鑑みてなされたものであり、組立効率を向上させたスピーカを有する情報処理装置を提供することを目的とする。
【００１１】
また、本技術の他の目的は、組立効率を向上させたスピーカを提供することである。
【課題を解決するための手段】
【００１２】
上記課題を解決するために、情報処理装置が提供される。情報処理装置は、左チャネル音声を出力する左チャネル用スピーカと、右チャネル音声を出力する右チャネル用スピーカと、低音域を出力する低音域用スピーカと、の各スピーカユニットが一体化構成されたスピーカを筐体内に有する。
【００１３】
また、スピーカが提供される。スピーカは、左チャネル音声を出力する左チャネル用スピーカと、右チャネル音声を出力する右チャネル用スピーカと、低音域を出力する低音域用スピーカとを有し、各スピーカユニットが一体化構成される。
【発明の効果】
【００１４】
組立効率を向上させることが可能になる。
【図面の簡単な説明】
【００１５】
【図１】情報処理装置の構成例を示す図である。
【図２】スピーカの構成例を示す図である。
【図３】スピーカの構成例を示す図である。
【図４】スピーカの構成例を示す図である。
【図５】スピーカの構成例を示す図である。
【図６】スピーカの取り付け状態を示す図である。
【図７】スピーカが取り付けられた情報処理装置の概観を示す図である。
【図８】スピーカが取り付けられた情報処理装置の概観を示す図である。
【図９】スピーカが取り付けられた情報処理装置の概観を示す図である。
【図１０】スピーカが取り付けられた情報処理装置の概観を示す図である。
【図１１】スピーカ容量を説明するための図である。
【図１２】スピーカ内部のバスレフポートを示す図である。
【図１３】スピーカ内部のバスレフポートを示す図である。
【図１４】スピーカ内部のバスレフポートを示す図である。
【図１５】スピーカ内部のバスレフポートを示す図である。
【図１６】スピーカの吸気構造を示す図である。
【図１７】吸気による空気の流れを示す図である。
【図１８】スピーカのシーリング構造を示す図である。
【図１９】スピーカのシーリング構造を示す図である。
【発明を実施するための形態】
【００１６】
以下、実施の形態を図面を参照して説明する。図１は情報処理装置の構成例を示す図である。情報処理装置１は、音声信号処理部１−１とスピーカ１０を備える。スピーカ１０は、左チャネル用スピーカ１１、右チャネル用スピーカ１２および低音域用スピーカ（以下、ウーハ）１３を含む。
【００１７】
音声信号処理部１−１は、音声信号処理を行い、左チャネル音声、右チャネル音声および低域音声を出力する。
【００１８】
左チャネル用スピーカ１１は、左チャネル音声を外部へ出力（放音）する。右チャネル用スピーカ１２は、右チャネル用音声を外部へ出力する。ウーハ１３は、低域音声を外部へ出力する。
【００１９】
また、スピーカ１０は、左チャネル用スピーカ１１、右チャネル用スピーカ１２およびウーハ１３が、それぞれ個別に分離したスピーカユニットではなく、これら３つのスピーカユニットが一体化構成されている。そして、この一体型のスピーカ１０は、情報処理装置１の筐体内部に搭載される。
【００２０】
次にスピーカ１０を説明する前に、一般的なスピーカの構成について説明する。図２はスピーカの構成例を示す図である。従来のスピーカ１００を正面から見た場合の構成を示している。
【００２１】
スピーカ１００は、左チャネル用スピーカ１０１、右チャネル用スピーカ１０２およびウーハ１０３の３つのスピーカユニットを備え、各スピーカユニットは、それぞれ分離した個別ユニットとして構成されている。
【００２２】
なお、左チャネル用スピーカ１０１からの左チャネル音声は、下方向へ出力される構成となっている。同様に、右チャネル用スピーカ１０２からの右チャネル音声は、下方向へ出力され、ウーハ１０３からの低域音声は、下方向へ出力される構成となっている。
【００２３】
また、左チャネル用スピーカ１０１には、筐体に取り付けてねじ止めするための４つのビスｖ１１〜ｖ１４が設けられている。
【００２４】
さらに、右チャネル用スピーカ１０２には、筐体に取り付けてねじ止めするための４つのビスｖ２１〜ｖ２４が設けられている。
【００２５】
さらにまた、ウーハ１０３には、筐体に取り付けてねじ止めするための４つのビスｖ３１〜ｖ３４が設けられている。
【００２６】
一方、左チャネル用スピーカ１０１には、左チャネル音声が入力するスピーカケーブル１１１が設けられ、右チャネル用スピーカ１０２には、右チャネル音声が入力するスピーカケーブル１１２が設けられている。さらに、ウーハ１０３には、低域音声が入力するスピーカケーブル１１３が設けられている。
【００２７】
このように、従来のスピーカ１００は、３つのスピーカユニットが、それぞれ分離した個別ユニットとして構成されていたため、上述したように組立効率が悪いといった問題があった。また、組立効率の問題だけでなく、製造性、音質の性能等にも課題があった（後述する）。
【００２８】
本技術はこのような点に鑑みてなされたものであり、上記課題の解決を図ったスピーカ１０を有する情報処理装置１を提供するものである。また、上記課題の解決を図ったスピーカ１０を提供するものである。
【００２９】
次に本技術のスピーカ１０の構成について以降詳しく説明する。図３〜図５はスピーカの構成例を示す図である。図３はスピーカ１０の正面を示す図である。図４は図３をＡ方向（スピーカ上方向）から見た図である。図５は図３をＢ方向（スピーカ下方向）から見た図である。
【００３０】
スピーカ１０は、下ケース１ａと上ケース１ｂとを備える。下ケース１ａ側に対して、左チャネル用スピーカ１１、右チャネル用スピーカ１２およびウーハ１３の３つのスピーカユニットを備え、各スピーカユニットは、一体成型されている。
【００３１】
スピーカ１０には、筐体に取り付けてねじ止めするための７つのビスｖ１〜ｖ７が設けられている。さらに、下ケース１ａと上ケース１ｂとを接続するためのビスｖ１ａ〜ｖ４ａが設けられている。ビスｖ１ａ〜ｖ４ａと、超音波溶着とにより、下ケース１ａと上ケース１ｂとは互いに固着される。
【００３２】
また、スピーカ１０の下ケース１ａには、情報処理装置１の内部を冷却するための吸気孔１５ａ、１５ｂが設けられている。さらに、左チャネル用スピーカ１１には、左チャネル音声用のバスレフポートの孔ｐ１が設けられている。
【００３３】
同様に、右チャネル用スピーカ１２には、右チャネル音声用のバスレフポートの孔ｐ２が設けられ、ウーハ１３には、低域音声用のバスレフポートの孔ｐ３が設けられている。吸気孔およびバスレフポートについては後述する。
【００３４】
さらにまた、スピーカ１０には、スピーカケーブルＣが設けられている。スピーカケーブルＣは、左チャネル用スピーカ１１に配線されているスピーカケーブルと、右チャネル用スピーカ１２に配線されているスピーカケーブルと、ウーハ１３に配線されているスピーカケーブルを１本に束ねたものである。
【００３５】
図６はスピーカの取り付け状態を示す図である。情報処理装置１の画面裏面側から見た内部構造であって、スピーカ１０を情報処理装置１の筐体内のセンターシャーシ２０fに取り付けている状態を示している。
【００３６】
センターシャーシ２０ｆには、ブルーレイ（Blu−ray Disc）やＣＤ（Compact Disc）等が挿入されるＯＤＤ（Optical Disc Drive）２２、冷却用ファンであるクーリングユニット２３、ハードディスク２４およびマザーボード２５などが実装されている。
【００３７】
また、マザーボード２５には、ＵＳＢ（Universal Serial Bus）ケーブル等と接続するための外部コネクタ２６が実装されている。スピーカ１０は、情報処理装置１の背面から、図に示す矢印方向に向けて、センターシャーシ２０ｆの下方に取り付けられる。
【００３８】
図７〜図１０はスピーカが取り付けられた情報処理装置の概観を示す図である。図７は情報処理装置１の正面図である（画面正面から見た図である）。図８は図７をＣ方向から見た側面図であり、図９は図７をＤ方向から見た側面図である。図１０は図７をＥ方向から見た図である（情報処理装置下側から見た図である）。
【００３９】
情報処理装置１には、画像表示パネル２１を含む筐体２０の裏面に、例えば、Ｌ字型のスタンド３０が取り付けられている。スタンド３０の底面側支持部３１が台上に置かれることにより、スタンド３０の底面側支持部３１と、筐体２０との間には空間が形成される。
【００４０】
スピーカ１０は、筐体２０の下部に取り付けられて、スタンド３０の底面側支持部３１と、筐体２０との間にできる空間から音声を出力することになる。
【００４１】
よって、左チャネル用スピーカ１１からの左チャネル音声は、筐体２０の下方向から外部へ出力される。同様に、右チャネル用スピーカ１２からの右チャネル音声は、筐体２０の下方向から外部へ出力され、ウーハ１３からの低域音声は、筐体２０の下方向から外部へ出力される。
【００４２】
上記のように、スピーカ１０は、左チャネル用スピーカ１１、右チャネル用スピーカ１２およびウーハ１３をスピーカユニット単位に分離せずに、一体化する構成とした。これにより、従来と比べて、組立作業手順が大幅に減少し、筐体２０へのスピーカ１０の組立が容易となり、組立効率を格段に向上させることが可能になる。
【００４３】
また、スピーカ１０では、左チャネル用スピーカ１１、右チャネル用スピーカ１２およびウーハ１３が一体型の構成であるので、筐体２０への取り付け時に一括して取り付けることができ、作業性を向上させることが可能になる。
【００４４】
一方、従来のスピーカ１００の構成では、スピーカケーブルが個々のスピーカユニットに設けられているため、筐体内でスピーカケーブルの配線の取り回し（ルーティング）を容易に行うことができなかった。
【００４５】
これに対し、スピーカ１０は、一体型構成であるために、左チャネル用のスピーカケーブル、右チャネル用のスピーカケーブルおよびウーハ１３のスピーカケーブルを１本に束ねることができる。このように、スピーカケーブルの出し口を一本化したことにより、筐体２０内での配線の取り回しを簡略化することが可能になる。
【００４６】
さらに、従来のスピーカ１００では、スピーカユニット毎に、筐体に取り付けのためのねじ止め用ビスを設ける必要があったが、一体型構成のスピーカ１０では、筐体２０に取り付けのためのねじ止め用ビスを削減することができるので、スピーカ自体の製造性も向上させることが可能になる。
【００４７】
さらにまた、従来のスピーカ１００では、構造部品が多くなるため、筐体内の限られたスペースの中でスピーカ容量を増大させることが困難であった。これに対し、スピーカ１０は、従来のスピーカ１００と比べてスピーカ容量を増大することも可能になる。
【００４８】
図１１はスピーカ容量を説明するための図である。従来のスピーカ１００のスピーカ容量と、本技術のスピーカ１０のスピーカ容量との差異を示している。また、図中、スピーカ容量を点線枠で示している。
【００４９】
スピーカ１００において、左チャネル用スピーカ１０１は、スピーカ容量１０１ａを有し、右チャネル用スピーカ１０２は、スピーカ容量１０２ａを有し、ウーハ１０３は、スピーカ容量１０３ａを有している。
【００５０】
一方、スピーカ１０において、左チャネル用スピーカ１１は、スピーカ容量１１ａを有し、右チャネル用スピーカ１２は、スピーカ容量１２ａを有し、ウーハ１３は、スピーカ容量１３ａを有している。
【００５１】
ここで、スピーカ１００のスピーカ容量１０１ａ、１０２ａ、１０３ａの総和よりも、スピーカ１０のスピーカ容量１１ａ、１２ａ、１３ａの総和の方が大きくなっている。すなわち、スピーカユニットを一体化させることで、スピーカ容量が増大している。
【００５２】
これは、スピーカ１００では、個々のスピーカユニットで構成されているために、スピーカユニットそれぞれに対して、筐体へ取り付けるための固定構造（ビスが設けられる部分など）を設けることになる。したがって、その固定構造の分、スピーカ容量が小さくなる。
【００５３】
これに対し、スピーカ１０は、一体型構成であるので、筐体２０へ取り付けるための固定構造を従来のスピーカよりも削減することができるので、その削減できた分をスピーカ容量として増加することができる。
【００５４】
このように、スピーカ１０は一体型構成であるために、構造部品が削減し、筐体２０内の限られたスペースの中において、従来の個別ユニットで構成されるスピーカよりも、スピーカ容量を増大せることが可能である。
【００５５】
次にスピーカ１０に形成されているバスレフポートについて説明する。なお、バスレフポートとは、スピーカボックスに設けられた音声が通る音道のことである。
【００５６】
一般的に、スピーカは、スピーカの前面と背面とで互いに逆位相の音声を出力する。したがって、スピーカボックス内で、前面から出る音声と、背面から出る音声とが混合しないようにする必要がある。
【００５７】
このため、スピーカボックスには、スピーカ背面から出る音声の通り道として、バスレフポートが設けられている。長さを適切に定めたバスレフポートを設けて、このバスレフポートに、背面から出る音声を通過させることで、背面から出る音声の位相を反転させている。
【００５８】
そして、スピーカボックス内で反転させた後に、外へ出力させることにより、スピーカ背面から出力される音声も利用することができる。なお、バスレフポートは、特に低音域の改善に寄与することができる。
【００５９】
図１２、図１３はスピーカ内部のバスレフポートを示す図である。従来のスピーカ１００におけるバスレフポートの取り回し状態を示している。図１２において、（ａ）はスピーカ１００の正面図であり、（ｂ）は、（ａ）のＡ−Ａ断面図におけるバスレフポートを示している。
【００６０】
また、図１３において、（ａ）はスピーカ１００を上方向から見た図であり、（ｂ）は、（ａ）のＢ−Ｂ断面図におけるバスレフポートを示している。
【００６１】
なお、図中のバスレフポートを示す矢印の方向は、空気の流れを示しており、矢印の後端は、スピーカの背面側であり、矢印の先端は、音声が出力するバスレフポート孔を向いている。
【００６２】
スピーカ１００では、左チャネル用スピーカ１０１、右チャネル用スピーカ１０２およびウーハ１０３が、分離して個別ユニットで構成されるため、スピーカユニット毎にバスレフポートが形成されることになる。
【００６３】
すなわち、左チャネル用スピーカ１０１内にバスレフポート１１１が設けられ、右チャネル用スピーカ１０２内にバスレフポート１１２が設けられ、ウーハ１０３内にバスレフポート１１３が設けられている。
【００６４】
このように、スピーカ１００では、スピーカユニット個別にバスレフポートが形成されるために、バスレフポートの長さを十分に確保できない場合があり、バスレフポートを適切に形成することができないといった問題があった。
【００６５】
ここで、特に低音域の周波数を強調させる場合には、ある一定の長さのバスレフポートを確保する必要がある。しかし、スピーカ１００のように、スピーカユニット個別にバスレフポートが形成される場合は、十分な長さのバスレフポートを確保することが難しい場合がある。
【００６６】
すなわち、各スピーカユニット内でのバスレフポートの取り回しでは、低音域の周波数を強調させるに十分な長さが足りない場合がある。このため、低音域の音声の品質が劣化するおそれがあった。
【００６７】
図１４、図１５はスピーカ内部のバスレフポートを示す図である。本技術のスピーカ１０におけるバスレフポートの取り回し状態を示している。なお、ウーハ１３のバスレフポートのみ示している。
【００６８】
図１４において、（ａ）はスピーカ１０の正面図であり、（ｂ）は、（ａ）のＣ−Ｃ断面図におけるバスレフポートを示している。
【００６９】
また、図１５において、（ａ）はスピーカ１０を上方向から見た図であり、（ｂ）は、（ａ）のＤ−Ｄ断面図におけるバスレフポートを示している。
【００７０】
なお、図中のバスレフポートを示す矢印の方向は、空気の流れを示しており、矢印の後端は、スピーカの背面側であり、矢印の先端は、音声が出力するバスレフポート孔ｐ３を向いている。
【００７１】
スピーカ１０では、左チャネル用スピーカ１１、右チャネル用スピーカ１２およびウーハ１３が一体型構成であるため、隣接するスピーカユニット側まで跨り拡張して、バスレフポートを取り回すことができる。
【００７２】
例えば、図１４、図１５では、ウーハ１３用のバスレフポート１３ｂが設けられているが、バスレフポート１３ｂは、右チャネル用スピーカ１２のスピーカユニット領域に渡って拡張して形成されている。
【００７３】
このように、スピーカ１０では、一体型構成であるため、必要に応じて、隣接するスピーカユニットの領域までバスレフポートの長さを任意に伸ばして形成することができる。このため、低音域の周波数を強調させるに十分な長さのバスレフポートを柔軟に確保して、最適な音声設計を行うことができ、低音域の音声の品質を向上させることが可能になる。
【００７４】
なお、上記では、ウーハ１３のバスレフポート１３ｂを右チャネル用スピーカ１２に拡張した例を示したが、左チャネル用スピーカ１１側へ拡張してもよい。また、ウーハ１３のバスレフポート１３ｂのみ説明したが、左チャネル用スピーカ１１および右チャネル用スピーカ１２のバスレフポートについても同様である。
【００７５】
すなわち、左チャネル用スピーカ１１に関しては、必要に応じて、ウーハ１３のスピーカユニットの領域まで拡張して、左チャネル用スピーカ１１のバスレフポートを形成することができる。
【００７６】
同様に、右チャネル用スピーカ１２に関しては、必要に応じて、ウーハ１３のスピーカユニットの領域まで拡張して、右チャネル用スピーカ１２のバスレフポートを形成することができる。
【００７７】
次にスピーカ１０に設けられた吸気構造について説明する。スピーカ１０では、上述のように大容量のスピーカ構造を有している。
【００７８】
このような大容量のスピーカ構造を持つスピーカ１０を情報処理装置１にそのまま取り付けると、情報処理装置１の吸気孔を塞いでしまう可能性がある。このため、本技術のスピーカ１０では、スピーカ１０自体に吸気構造を持たせて、その吸気構造を介して情報処理装置１内部のクーリングを行っている。
【００７９】
図１６はスピーカの吸気構造を示す図であり、図１７は吸気による空気の流れを示す図である。スピーカ１０には、例えば、左右２箇所の吸気孔１５ａ、１５ｂが設けられており、情報処理装置１の内部に対して、図６で示したクーリングユニット２３により、冷却のための空気を取り込む空洞としている（なお、図には示さないが、情報処理装置１の筐体背面には、排気孔が設けられている）。
【００８０】
図１７に示す矢印は、吸気孔１５ａ、１５ｂから吸気された冷却のための空気の流れを示している。このように、スピーカ１０には、吸気用の空洞構造を設けることによって、吸気機能も兼ねさせる構成とした。
【００８１】
これにより、情報処理装置１の筐体２０（例えば、背面側の筐体）に設ける吸気構造を削減することができる。または、情報処理装置１の筐体２０自体に吸気構造を持たせることが不要となる。したがって、大容量のスピーカ構造を有するスピーカ１０を、クーリング機能を妨げることなく、情報処理装置１に対して取り付けることが可能になる。
【００８２】
また、吸気孔１５ａ、１５ｂは、スピーカ音が出力される面と同じ面上に設けられている。したがって、ユーザからは目につきにくい箇所に吸気構造が形成されているので、情報処理装置１の概観形状のデザイン性を高めることも可能になる。
【００８３】
次にスピーカ１０のシーリング（sealing）構造について説明する。図１８、図１９はスピーカのシーリング構造を示す図である。情報処理装置１のリアカバー２０ｂの底面には、リブ（rib）ｒ１〜ｒ４の突起部が形成され、さらにスピーカネット１７が敷設されている。スピーカネット１７には、図示はしていないが、パンチ孔が任意の個数形成されている。
【００８４】
一方、スピーカ１０には、スピーカ１０の情報処理装置１への取り付け時に、リブｒ１〜ｒ４と接触する位置に対して、緩衝材（例えば、スポンジなど）１６が設けられている。
【００８５】
スピーカ１０を情報処理装置１へ取り付ける際、リブｒ１〜ｒ４が緩衝材１６を押し当てることにより、リブｒ１〜ｒ４および緩衝材１６によって、スピーカユニット単位にシールされて区画化される。
【００８６】
具体的には、スピーカ１０の情報処理装置１への設置時、リブｒ１、ｒ２と、スピーカ１０に設けられている緩衝材１６とで、左チャネル用スピーカ１１がシールされて区画化される。
【００８７】
また、スピーカ１０の情報処理装置１への設置時、リブｒ３、ｒ４と、スピーカ１０に設けられている緩衝材１６とで、右チャネル用スピーカ１２がシールされて区画化される。
【００８８】
さらに、スピーカ１０の情報処理装置１への設置時、リブｒ２、ｒ３と、スピーカ１０に設けられている緩衝材１６とで、ウーハ１３がシールされて区画化される（図１９では、ウーハ１３のシーリング状態を示している）。
【００８９】
このように、スピーカユニット単位でシーリングされ区画化されることにより、各スピーカの音声が筐体２０に漏れること、および筐体２０内に拡散することを防止することができ、スピーカ音を筐体２０外に適切に出力することが可能になる。
【００９０】
なお、本技術は以下のような構成も採ることができる。
（１）  左チャネル音声を出力する左チャネル用スピーカと、右チャネル音声を出力する右チャネル用スピーカと、低音域を出力する低音域用スピーカと、の各スピーカユニットが一体化構成されたスピーカを筐体内に有する情報処理装置。
（２）  前記左チャネル用スピーカは、第１のバスレフポートを有し、前記右チャネル用スピーカは、第２のバスレフポートを有し、前記低音域用スピーカは、第３のバスレフポートを有し、
前記第１〜第３のバスレフポートは、所定の長さに応じて、隣接するスピーカユニットまで拡張して形成される前記（１）記載の情報処理装置。
（３）  前記スピーカは、前記筐体の内部を冷却するための吸気構造が設けられる前記（１）または（２）記載の情報処理装置。
（４）  前記筐体の底面部には、突起部が設けられ、
前記スピーカには、前記突起部と接触する緩衝材が設けられ、
前記スピーカの前記筐体への実装時には、前記突起部が前記緩衝材を押し当て、前記突起部と前記緩衝材によって、前記左チャネル用スピーカ、前記右チャネル用スピーカおよび前記低音域用スピーカのそれぞれが封止されて、スピーカユニット毎に区画化される前記（１）から（３）のいずれかに記載の情報処理装置。
（５）  前記左チャネル用スピーカは、左チャネル用スピーカケーブルを有し、前記右チャネル用スピーカは、右チャネル用スピーカケーブルを有し、前記低音域用スピーカは、低音域用スピーカケーブルを有し、
前記左チャネル用スピーカケーブル、前記右チャネル用スピーカケーブルおよび前記低音域用スピーカケーブルは束ねられて、出し口が１本で形成される前記（１）〜（４）のいずれかに記載の情報処理装置。
（６）  左チャネル音声を出力する左チャネル用スピーカと、
右チャネル音声を出力する右チャネル用スピーカと、
低音域を出力する低音域用スピーカと、
を有し、
各スピーカユニットが一体化構成されたスピーカ。
（７）  前記左チャネル用スピーカは、第１のバスレフポートを有し、前記右チャネル用スピーカは、第２のバスレフポートを有し、前記低音域用スピーカは、第３のバスレフポートを有し、
前記第１〜第３のバスレフポートは、所定の長さに応じて、隣接するスピーカユニットまで拡張して形成される前記（６）記載のスピーカ。
（８）  実装される筐体の内部を冷却するための吸気構造が設けられる前記（６）または（７）記載のスピーカ。
（９）  実装される筐体の底面部に設けられた突起部と接触する緩衝材が設けられ、
実装時には、前記突起部が前記緩衝材を押し当て、前記突起部および前記緩衝材によって、前記左チャネル用スピーカ、前記右チャネル用スピーカおよび前記低音域用スピーカのそれぞれが封止されて、スピーカユニット毎に区画化される前記（６）から（８）のいずれかに記載のスピーカ。
（１０）  前記左チャネル用スピーカは、左チャネル用スピーカケーブルを有し、前記右チャネル用スピーカは、右チャネル用スピーカケーブルを有し、前記低音域用スピーカは、低音域用スピーカケーブルを有し、
前記左チャネル用スピーカケーブル、前記右チャネル用スピーカケーブルおよび前記低音域用スピーカケーブルは束ねられて、出し口が１本で形成される前記（６）から（９）のいずれかに記載のスピーカ。
【００９１】
なお、上述の実施の形態は、実施の形態の要旨を逸脱しない範囲内において種々の変更を加えることができる。
【００９２】
さらに、上述の実施の形態は、多数の変形、変更が当業者にとって可能であり、説明した正確な構成および応用例に限定されるものではない。
【符号の説明】
【００９３】
１……情報処理装置、１−１……音声信号処理部、１０……スピーカ、１１……左チャネル用スピーカ、１２……右チャネル用スピーカ、１３……低音域用スピーカ
【図１】
2013141119.tif 000003
【図２】
2013141119.tif 000004
【図３】
2013141119.tif 000005
【図４】
2013141119.tif 000006
【図５】
2013141119.tif 000007
【図６】
2013141119.tif 000008
【図７】
2013141119.tif 000009
【図８】
2013141119.tif 000010
【図９】
2013141119.tif 000011
【図１０】
2013141119.tif 000012
【図１１】
2013141119.tif 000013
【図１２】
2013141119.tif 000014
【図１３】
2013141119.tif 000015
【図１４】
2013141119.tif 000016
【図１５】
2013141119.tif 000017
【図１６】
2013141119.tif 000018
【図１７】
2013141119.tif 000019
【図１８】
2013141119.tif 000020
【図１９】
2013141119.tif 000021